(57)【要約】【課題】ワイヤハーネスの分岐部分の結束、保護、および車体への固定を効率よく行うことができるワイヤハーネス用クリップを提供する。【解決手段】ワイヤハーネスの分岐部分を車体に固定するワイヤハーネス用クリップ１に、所定方向に延在する第１板状部１０ａと、第１板状部１０ａと略直交する方向に延在すると共に第１板状部１０ａに交差する第２板状部１０ｂとを有する台座部１０と、台座部１０の一方面であって、第１板状部１０ａと第２板状部１０ｂとが略交差する位置に設けられた、車体に形成された取付穴に挿入係止するクリップ部２０とを設ける。また、台座部１０は、屈曲及び伸縮可能な弾性材により形成されている共に、第１板状部１０ａおよび第２板状部１０ｂの略先端部には、それぞれ、クリップ部２０が挿入可能な貫通孔１１、１２が形成されている。【選択図】図１
2009195047.tif 000002
【特許請求の範囲】
【請求項１】
ワイヤハーネスの分岐部分を車体に固定するワイヤハーネス用クリップにおいて、
第１方向に延在する第１板状部と、前記第１板状部と交差すると共に第２方向に延在する第２板状部とを有する板状の台座と、
前記台座の一方面であって、前記第１板状部と前記第２板状部とが略交差する位置に設けられた、車体に形成された取付穴に挿入係止するクリップとを備え、
前記台座は、屈曲及び伸縮可能な弾性材により形成されていると共に、前記第１板状部の略先端部には前記クリップが挿入可能な第１貫通孔が形成され、前記第２板状部の略先端部には前記クリップが挿入可能な第２貫通孔が形成されていることを特徴とするワイヤハーネス用クリップ。
【請求項２】
前記台座は、略Ｌ字状に形成されていることを特徴とする請求項１に記載のワイヤハーネス用クリップ。
【発明の詳細な説明】
【技術分野】
【０００１】
本発明は、自動車に配索されるワイヤハーネスを車体に形成された取付穴に係止して固定するワイヤハーネス用クリップに関し、例えば、ワイヤハーネスの分岐部分を結束し保護するとともに、その分岐部分を車体に固定するワイヤハーネス用クリップに関する。
【背景技術】
【０００２】
自動車に配索されるワイヤハーネスは、幹線から支線が分岐している分岐部分が多数存在している。このワイヤハーネスの分岐部分は、一般的に分岐の位置がずれないように、分岐箇所が車体等に固定される。また、ワイヤハーネスの分岐部分は、車体のバリ等から保護することが望ましい。
【０００３】
従来から、ワイヤハーネスを車両に配索させる際には、その分岐位置がずれないようにするために、線材保持部材により、分岐部分の電線群を結束するとともに、所定の配索方向を保持して固定することが行われている。
例えば、特許文献１には、ワイヤハーネスの分岐部分を固定する線材保持部材（分岐クリップ）の構成が開示されている。ここで、特許文献１に記載されている分岐クリップの構成を図５に基づいて説明する。
【０００４】
図５は、従来からあるワイヤネーネス用の分岐クリップの斜視図である。なお、図５（ａ）は、分岐クリップ単体を示している。また、図５（ｂ）は、図５（ａ）に示す分岐クリップを、ワイヤネーネスの分岐部分に取り付けた状態を示している。
図５（ａ）に示すように、分岐クリップＸは、所定の方向に延在する矩形板状の基部プレート１００及び矩形板状の対向プレート１０１と、これらのプレート１００、１０１を連結する屈曲可能なヒンジ部１０３とを有している。そして、基部プレート１００には、一端側（ヒンジ部１０３側）の基面にクリップ部１０４と、他端側（反ヒンジ部１０３側）の側部に基部プレート１００の延在方向に直角に延伸して設けられたバンド部１０５と、バンド部１０５に対向する側部にバンド部１０５を貫通して係止するロック部１０６とが設けられている。また、対向プレート１０１には、一端側の基面に基部プレート１００に設けられたバンド部１０５を貫通して係合する貫通部（係合部）１０７が設けられている。
【０００５】
そして、図５（ｂ）に示すように、分岐クリップＸは、ワイヤハーネスの分岐箇所に取り付けられる。
具体的には、分岐クリップＸの基部プレート１００が、ワイヤハーネスの幹線４０から分岐する支線４０ａの延伸方向に延在するように配置される。次いでヒンジ部１０３を屈曲させて対向プレート１０１を基部プレート１００に対向するように配置する。次いで基部プレート１００の他端側の端部に設けられたバンド部１０５を対向プレート１０１の貫通部１０７及び基部プレート１００のロック部１０６に順次貫通させて支線４０ａの外周を巻き込み、ロック部１４において絞め込み係止して固定する。
そして、分岐クリップＸをワイヤハーネスの分岐部分を取り付けると、その後、基部プレート１００のクリップ部１０４が車体に形成された取付穴に挿入されて係止される。
【０００６】
また、ワイヤハーネスの分岐部分を保護するための構成が特許文献２に開示されている。ここで、図６に、特許文献２に記載された、従来からあるワイヤハーネスの分岐部分を保護する分岐保護シートの斜視図を示す。
図示するように、分岐保護シートは、幹線４０から分岐する支線４０ａを有するワイヤハーネスの分岐部を覆って保護するようにしている。
【特許文献１】特開平１０−２９０５０９号公報
【特許文献２】特開２００１−１３５１７３号公報
【発明の開示】
【発明が解決しようとする課題】
【０００７】
しかしながら、特許文献１の分岐クリップは、ワイヤハーネスの分岐部分に取り付け、その分岐部分を車体に形成された取付穴に差し込んで係止することはできるが、分岐部分を結束することや保護することはできない。そのため、特許文献１の分岐クリップを利用する場合、別途、ワイヤハーネスの分岐部分を結束する部品（テープ等）と保護する部品とを用意して、取り付ける必要があり、部品点数および作業工数の増加を招くという技術的課題を有している。
すなわち、特許文献１の手法は、ワイヤハーネスの分岐部分の結束および保護と、車体への固定を効率良く行うことができないという技術的課題を有している。特に、自動車に配索されるワイヤハーネスは、分岐部分が多数存在しているため、上記の技術的課題の影響は大きい。
また、特許文献２は、ワイヤハーネスの分岐を保護することはできるが分岐部分を結束したり、分岐部分を車体に固定したりすることができない。すなわち、特許文献２は、特許文献１と同様の上記技術的課題を有している。なお、特許文献２に記載の分岐保護シートは、一方向（例えばＴ字状）の分岐部分しか保護することはできない。すなわち、特許文献２に記載のシートは、全ての分岐部分に利用できるものではない。
【０００８】
本発明は、前記した技術的課題を解決するためになされたものであり、ワイヤハーネスの分岐部分の結束、保護、および車体への固定を効率よく行うことができるワイヤハーネス用クリップを提供することを目的とする。
【課題を解決するための手段】
【０００９】
上記課題を解決するために本発明は、ワイヤハーネスの分岐部分を車体に固定するワイヤハーネス用クリップに適用される。
そして、前記ワイヤハーネス用クリップは、第１方向に延在する第１板状部と、前記第１板状部と交差すると共に第２方向に延在する第２板状部とを有する板状の台座と、前記台座の一方面であって、前記第１板状部と前記第２板状部とが略交差する位置に設けられた、車体に形成された取付穴に挿入係止するクリップとを備え、
前記台座は、屈曲及び伸縮可能な弾性材により形成されていると共に、前記第１板状部の略先端部には前記クリップが挿入可能な第１貫通孔が形成され、前記第２板状部の略先端部には前記クリップが挿入可能な第２貫通孔が形成されていることを特徴とする。
【００１０】
このように、本発明では、クリップを支持する台座を屈曲可能な弾性材により形成するようにしている。また、台座を構成する第１板状部および第２板状部のそれぞれの先端部に、前記のクリップを挿入可能な貫通孔（第１貫通孔および第２貫通孔）が形成されている。
このように構成することにより、以下に示すように、ワイヤハーネス用クリップをワイヤハーネスの分岐部分に巻きつけて固定することができるため、１つの部品で、ワイヤハーネスの分岐部分の結束および保護ができるととともに、その分岐部分を車体に固定することができる。
【００１１】
具体的には、ワイヤハーネスの分岐部分に、前記台座のクリップ形成面の裏側を当接させる。そして、第１板状部および第２板状部を屈曲させてワイヤハーネスの分岐部分に巻きつけると共に、第１板状部および第２板状部の略先端の貫通孔（第１貫通孔および第２貫通孔）にクリップを挿入して固定する。これにより、ワイヤハーネスの分岐部分が弾性材により形成された第１板状部および第２板状部により覆われて保護されると共に、結束される。
また、上記のようにワイヤハーネスの分岐部分に巻きつけて固定したワイヤハーネス用クリップを車体に形成された取付穴に挿入係止することにより、ワイヤハーネスの分岐部分が車体に固定される。
このように、本発明のワイヤハーネス用クリップは、ワイヤハーネスの分岐部分の結束および保護と、その分岐部分の車体への固定を１つの部品で行うことができるため、従来技術のものと比べ、部品点数を低減できる。
また、ワイヤハーネスの分岐部分に、第１板状部および第２板状部を巻き付ける作業により、ワイヤハーネスの分岐部分の結束と、分岐部分の保護と、ワイヤハーネスへのクリップの固定とが一括で実現されるようになる。
【００１２】
また、前記ワイヤハーネス用クリップの前記台座は、略Ｌ字状に形成されていることが望ましい。
このように、台座の形状を略Ｌ字状の形成させることにより、ワイヤハーネスの分岐方向に関係なく適用することができる（例えば、分岐部分が十字状に分岐している場合であっても、Ｔ字状に分岐している場合であっても適用できる）。
【発明の効果】
【００１３】
このように、本発明のワイヤハーネス用クリップによれば、ワイヤハーネスの分岐部分の結束、保護、および車体への固定を効率よく行うことができる。
【発明を実施するための最良の形態】
【００１４】
以下、本発明の実施形態のワイヤハーネス用クリップについて、図面を用いて説明する。
先ず、本発明の実施形態のワイヤハーネス用クリップの構成について図１に基づいて説明する。
【００１５】
図１は、本発明の実施形態のワイヤハーネス用クリップの斜視図である。
図示するように、ワイヤハーネス用クリップ１は、略Ｌ字板状に形成された台座部１０と、台座部１０の一方面（上面）に突設されたクリップ部２０とを備える。
具体的には、台座部１０は、ゴム等（例えば、ＥＰＤＭ（エチレン・プロピレン・ジエンゴム））の屈曲および伸縮可能な弾性材により形成されている。
また、台座部１０は、所定方向に延在する第１板状部１０ａと、第１板状部１０ａと略直交する方向に延在すると共に第１板状部１０ａに交差する第２板状部１０ｂとを有する。
また、第１板状部１０ａの略先端部にはクリップ部２０を挿入可能な貫通孔１２が形成され、第２板状部１０ｂの略先端部にはクリップ部２０を挿入可能な貫通孔１１が形成されている。なお、クリップ部２０は、台座１０の一方面（上面）側であって、第１板状部１０ａと第２板状部１０ｂとが略交差する位置に形成されている。
【００１６】
また、前記クリップ部２０は、ＰＰ（ポリプロピレン）等の樹脂により形成され、車体（車体のボディパネル等）に設けられた取付穴へ挿入されて係止めされる形状になされている。なお、本実施形態では、クリップ部２０が、車体（車体のボディパネル等）に設けられた取付穴へ挿入されて係止めされる矢尻状の羽根形状に形成されている場合を例を示すが、特にこれに限定されるものではない。クリップ部２０が、車体（車体のボディパネル等）に設けられた取付穴へ挿入されて係止される形状であればどのような形状であってもかまわない。
【００１７】
そして、図１に示したワイヤハーネス用クリップ１を、図２および図３に示すように、ワイヤハーネスの分岐部分に取り付けることにより、ワイヤハーネスの分岐部分を結束すると共に保護する。また、ワイヤハーネスの分岐部分を結束し保護した状態において、クリップ部２０を車体に設けられた取付穴へ挿入係止することにより、ワイヤハーネスの分岐部分が車体に固定される。
以下、本実施形態のワイヤハーネス用クリップ１を用いて、ワイヤハーネスの分岐部分の保護した状態と、当該分岐部分を車体に固定した状態を図２乃至図４に基づいて説明する。
【００１８】
図２は、本実施形態のワイヤハーネス用クリップをワイヤハーネスの分岐部分に取り付けた状態を示した斜視図である。また、図３は、本実施形態のワイヤハーネス用クリップをワイヤハーネスの分岐部分に取り付けた状態における断面図である。また、図４は、ワイヤハーネスの分岐部分を例示した斜視図である。
なお、図３（ａ）は、図２に示したワイヤハーネスのＡ―Ａ断面図を示している。また、図３（ｂ）は、図２に示したワイヤハーネスを車体のボディパネルに固定（係止め）した状態を示している（図３（ａ）の破線Ｗで囲んだ部分を拡大している）。また、図示する符号５０は、ワイヤハーネスの幹線部を示し、符号５１および符号５２は、幹線部５０から分岐した支線部を示している。
【００１９】
そして、ワイヤハーネス用クリップ１は、例えば、以下の手順により、図４に例示するワイヤハーネスの分岐部分（幹線部５０から、支線部５１および支線部５２が分岐する部分）に取り付けられる。
なお、図４では、説明の便宜上、幹線部５０と支線部５１との分岐部を符号５０ａ１、５０ａ２で示し、幹線部５０と支線部５２との分岐部を符号５０ａ３、５０ａ４で示すこととする。
【００２０】
具体的には、最初に、ワイヤハーネスの分岐部分（幹線部５０から、支線部５１および支線部５２が分岐する部分）の略中心位置５０ａに、ワイヤハーネス用クリップ１の台座部１０のクリップ部２０が形成された面の裏面を当接させる。
つぎに、第１板状部１０ａを屈曲させて、ワイヤハーネスの分岐部分のうち対角する位置の２つの分岐部５０ａ１、５０ａ３に、第１板状部１０ａを巻き付けると共に、第１板状部１０ａの略先端部に形成された貫通孔１２にクリップ部２０を挿入して固定する。
つぎに、第２板状部１０ｂを屈曲させ、第１板状部１０ａが巻きつけられていない、対角する位置にある２つの分岐部５０ａ２、５０ａ４に、第２板状部１０ｂを巻き付けると共に、第２板状部１０ｂの略先端部に形成された貫通孔１１にクリップ部２０を挿入して固定する。これにより、図２および図３（ａ）に示すように、第１板状部１０ａおよび第２板状部１０ｂにより、ワイヤハーネスの分岐部分５０ａが覆われた状態となる。
このように、本実施形態のワイヤハーネスクリップ１によれば、第１板状部１０ａおよび第２板状部１０ｂを屈曲させ、ワイヤハーネスの分岐部分をクロス状に巻いて覆うことができるため、分岐部分が結束されると共に保護される。
【００２１】
また、図３（ｂ）に示すように、クリップ部２０を車両のボディ６０に形成された取付穴６１に挿入して係止することにより、車両のボディ６０にワイヤハーネスの分岐部分が固定される。
そして、本実施形態のワイヤハーネス用クリップ１は、クリップ部２０を支持する台座部１０が伸縮可能な弾性体により形成されているため、クリップの板厚を吸収することができる。
【００２２】
このように本実施形態によれば、ワイヤハーネスの分岐部分の結束と、分岐部分の保護と、分岐部分の車体への固定とを１つの部品（ワイヤハーネス用クリップ１）で行うことができるため、従来（従来は、テープ、クリップ、保護部材を利用していた）のものと比べ、部品点数を削減することができる。
また、本実施形態では、ワイヤハーネスの分岐部分に、第１板状部１０ａおよび第２板状部１０ｂを巻き付ける作業により、ワイヤハーネスの分岐部分の結束と、分岐部分の保護と、ワイヤハーネスへのクリップの固定とが一括で実現されるようになる。
すなわち、本実施形態のワイヤハーネス用クリップ１を利用することにより、別々の工程で行われていた、ワイヤハーネスの分岐部分の結束と、当該分岐部分の保護と、ワイヤハーネスへのクリップの固定とを１つの工程に集約することができ、作業工数が削減される。
【００２３】
また、本実施形態のワイヤハーネス用クリップ１は、屈曲可能な台座部１０に、所定方向に延在する第１板状部１０ａと、第１板状部１０ａと略直交する方向に延在する第２板状部１０ｂとを備える構成を採用している。そのため、ワイヤハーネスの分岐方向に関係なく適用することができる（十字状に分岐する分岐部分や、１方向に分岐する部分（例えばＴ字状の分岐部分）に適用できる）。
また、台座部１０が伸縮可能な弾性体により形成されているため、様々な径寸法を持つワイヤハーネスに対応することができる。すなわち、ワイヤハーネス用クリップ１は、ワイヤハーネスの径に差異があっても、伸縮可能な弾性体により形成されているため、その差異を吸収することができる。
このように、本実施形態によれば、汎用性の高いワイヤハーネス用クリップ１が実現されるため、分岐部分の形状に応じて部品（ワイヤハーネス用クリップ）を用意する必要がない。すなわち、本実施形態によれば、部品を共通化することができ、部品コストが低減される。
【００２４】
また、本実施形態は、第１板状部１０ａおよび第２板状部１０ｂにより、ワイヤハーネスの分岐部分をクロス巻きすることで、分岐部分の結束および保護と、分岐部分へのクリップ部２０の固定を行っているため、取り付け位置がバラツキを減少させることができる。
【００２５】
なお、本発明は、上述した実施形態に限定されるものではなく、その発明の要旨の範囲内において種々の変形が可能である。
【図面の簡単な説明】
【００２６】
【図１】本発明の実施形態のワイヤハーネス用クリップの斜視図である。
【図２】本発明の実施形態のワイヤハーネス用クリップをワイヤハーネスの分岐部分に取り付けた状態を示した斜視図である。
【図３】本発明の本実施形態のワイヤハーネス用クリップをワイヤハーネスの分岐部分に取り付けた状態における断面図である。
【図４】ワイヤハーネスの分岐部分を例示した斜視図である。
【図５】従来からあるワイヤネーネス用の分岐クリップの斜視図である。
【図６】従来からあるワイヤハーネスの分岐部分を保護する分岐保護シートの斜視図である。
【符号の説明】
【００２７】
１…ワイヤハーネス用クリップ
１０…台座部
１０ａ…第１板状部
１０ｂ…第２板状部
１１、１２…貫通孔
２０…クリップ部
５０…幹線部
５０ａ１、５０ａ２、５０ａ３、５０ａ４…分岐部
５１、５２…支線部
【図１】
2009195047.tif 000003
【図２】
2009195047.tif 000004
【図３】
2009195047.tif 000005
【図４】
2009195047.tif 000006
【図５】
2009195047.tif 000007
【図６】
2009195047.tif 000008